(57)【要約】【課題】  本発明は光ケーブルのガイド構造に係り、ケーブルクランプによる光ケーブルのルート矯正をなくした光ケーブルのガイド構造を提供することを目的とする。【解決手段】  平面視Ｌ字状に形成された樹脂成形品のケーブルガイド部材と、ケーブルガイド部材が係止可能な被取付部品とからなり、ケーブルガイド部材は、Ｌ字状に折曲する角部の内側周縁部に立設され、当接する光ケーブルの曲率半径を維持する曲率で形成された内側周壁と、角部を挟んでケーブルガイド部材の一端側に形成されたアダプタ取付部と、角部を挟んでケーブルガイド部材の他端側の外側周縁部に立設され、光ケーブルが当接する外側周壁と、内側周壁と外側周壁の上部に夫々内方へ突設され、光ケーブルの上方への飛び出しを防止する飛び出し防止用突片と、前記外側周壁の先端に内方へ突設され、光ケーブルのルートを内方へ矯正する矯正用ガイドリブと、前記被取付部品に係脱自在な係止手段を備え、前記被取付部品は、前記係止手段に対応した被係止手段を備えている。【選択図】    図１
2010145464.tif 000002
【特許請求の範囲】
【請求項１】
平面視Ｌ字状に形成された樹脂成形品のケーブルガイド部材と、
該ケーブルガイド部材が係止可能なプリント基板，筐体等の被取付部品とからなり、
前記ケーブルガイド部材は、Ｌ字状に折曲する角部の内側周縁部に立設され、当接する光ケーブルの曲率半径を維持する曲率で形成された内側周壁と、
前記角部を挟んでケーブルガイド部材の一端側に形成されたアダプタ取付部と、
前記角部を挟んでケーブルガイド部材の他端側の外側周縁部に立設され、光ケーブルが当接する外側周壁と、
前記内側周壁と外側周壁の上部に夫々内方へ突設され、光ケーブルの上方への飛び出しを防止する飛び出し防止用突片と、
前記外側周壁の先端に内方へ突設され、光ケーブルのルートを内方へ矯正する矯正用ガイドリブと、
前記被取付部品に係脱自在な係止手段を備え、
前記被取付部品は、前記係止手段に対応した被係止手段を備え、
前記被取付部品に係止した前記ケーブルガイド部材の内側周壁に沿って光ケーブルを実装し、
該光ケーブルに取り付くコネクタを、前記アダプタ取付部に取り付く中継接続用アダプタに接続することを特徴とする光ケーブルのガイド構造。
【請求項２】
前記係止手段は、前記アダプタ取付部側端部の裏面側へ断面Ｌ字状に折曲し、先端に被取付部品の裏面側周縁部に係止する係止ツメが突設された係止片と、
前記外側周壁に沿ってケーブルガイド部材の裏面側に突設され、先端に係止ツメが形成された２つの小突起と、
前記アダプタ取付部近傍のケーブルガイド部材の裏面側に突設された２つの回転防止用の小突起とからなり、
前記被取付部品の被係止手段は、前記各小突起が係止する係止孔であることを特徴とする請求項１に記載の光ケーブルのガイド構造。
【請求項３】
前記アダプタ取付部は、ケーブルガイド部材に立設された支持壁と、中継接続用アダプタの外形形状に沿って該支持壁に設けられた挿入孔とからなり、該挿入孔の左右の周縁部に、中継接続用アダプタ側に設けたロックツメが係合する被係合部が設けられていることを特徴とする請求項１または請求項２に記載の光ケーブルのガイド構造。
【請求項４】
前記支持壁の上部に、上方に冠着する冠着部材の凹部に係止する突片が突設されていることを特徴とする請求項１乃至請求項３のいずれか１項に記載の光ケーブルのガイド構造。
【発明の詳細な説明】
【技術分野】
【０００１】
本発明は、光ケーブルのガイド構造に関する。
【背景技術】
【０００２】
近年、通信機器端末装置は小型化が進んでいるが、光ケーブルは特性を保証（屈曲時の光信号の伝達性を維持）するために３０ｍｍ以上の曲率半径を確保する必要がある。
【０００３】
そして、端末装置内部には光モジュールを搭載しているが、光モジュールの光ケーブルと外線光ケーブルとを接続する中継接続用アダプタをプリント基板に搭載する場合、金具を用い、また、その間の光ケーブルの曲率半径を維持するため、特許文献１及び特許文献２に開示されるように、ケーブルクランプを用いて光ケーブルのルート矯正を行い、光ケーブルをプリント基板に実装している。
【特許文献１】実開昭６３−８７０５号公報
【特許文献２】特開２００７−５８２４６号公報
【発明の開示】
【発明が解決しようとする課題】
【０００４】
しかし乍ら、前記ケーブルクランプを用いた従来の光ケーブルのガイド構造、そして、金具を用いた中継接続用アダプタの固定構造は、以下の如き課題が指摘されていた。
【０００５】
[1]ケーブルクランプの外形が大きいため、端末装置の更なる小型化が阻害されている。
【０００６】
[2]従来のケーブルクランプは一点固定のため、光ケーブルを保持させる際にケーブルクランプが回転して光ケーブルの保持がさせ難い。
【０００７】
[3]ケーブルクランプは光ケーブルを点で保持するため、光ケーブルのルートを一定にするために複数のケーブルクランプを必要とする。
【０００８】
この結果、所定のケーブルルートに沿ってプリント基板に取付孔を複数設けてこれらにケーブルクランプを挿着し、或いは両面テープでプリント基板上にケーブルクランプを貼着して、ケーブルクランプに光ケーブルを挿通させるため、作業に手間がかかり、また、組立作業に熟練を要している。
【０００９】
[4]プリント基板への中継接続用アダプタの固定に金具を使用すると、金具の実装部分に電気的な配線ができないため、金具の取付部位に絶縁処理を施さねばならぬ煩わしさがある。
【００１０】
本発明は斯かる実情に鑑み案出されたもので、従来のケーブルクランプによる光ケーブルのルート矯正をなくし、併せて中継接続用アダプタの取付けに当たり、従来の金具を不要として、作業性の向上及び更なる通信機器端末装置の小型化を可能とした光ケーブルのガイド構造を提供することを目的とする。
【課題を解決するための手段】
【００１１】
斯かる目的を達成するため、請求項１に係る光ケーブルのガイド構造は、平面視Ｌ字状に形成された樹脂成形品のケーブルガイド部材と、該ケーブルガイド部材が係止可能なプリント基板，筐体等の被取付部品とからなり、前記ケーブルガイド部材は、Ｌ字状に折曲する角部の内側周縁部に立設され、当接する光ケーブルの曲率半径を維持する曲率で形成された内側周壁と、前記角部を挟んでケーブルガイド部材の一端側に形成されたアダプタ取付部と、前記角部を挟んでケーブルガイド部材の他端側の外側周縁部に立設され、光ケーブルが当接する外側周壁と、前記内側周壁と外側周壁の上部に夫々内方へ突設され、光ケーブルの上方への飛び出しを防止する飛び出し防止用突片と、前記外側周壁の先端に内方へ突設され、光ケーブルのルートを内方へ矯正する矯正用ガイドリブと、前記被取付部品に係脱自在な係止手段を備え、前記被取付部品は、前記係止手段に対応した被係止手段を備え、前記被取付部品に係止した前記ケーブルガイド部材の内側周壁に沿って光ケーブルを実装し、該光ケーブルに取り付くコネクタを、前記アダプタ取付部に取り付く中継接続用アダプタに接続することを特徴とする。
【００１２】
そして、請求項２に係る発明は、請求項１に記載の光ケーブルのガイド構造に於て、前記係止手段は、前記アダプタ取付部側端部の裏面側へ断面Ｌ字状に折曲し、先端に被取付部品の裏面側周縁部に係止する係止ツメが突設された係止片と、前記外側周壁に沿ってケーブルガイド部材の裏面側に突設され、先端に係止ツメが形成された２つの小突起と、前記アダプタ取付部近傍のケーブルガイド部材の裏面側に突設された２つの回転防止用の小突起とからなり、前記被取付部品の被係止手段は、前記各小突起が係止する係止孔であることを特徴とする。
【００１３】
更に、請求項３に係る発明は、請求項１または請求項２に記載の光ケーブルのガイド構造に於て、前記アダプタ取付部は、ケーブルガイド部材に立設された支持壁と、中継接続用アダプタの外形形状に沿って該支持壁に設けられた挿入孔とからなり、該挿入孔の左右の周縁部に、中継接続用アダプタ側に設けたロックツメが係合する被係合部が設けられていることを特徴とし、請求項４に係る発明は、請求項１乃至請求項３のいずれか１項に記載の光ケーブルのガイド構造に於て、前記支持壁の上部に、上方に冠着する冠着部材の凹部に係止する突片が突設されていることを特徴とする。
【発明の効果】
【００１４】
請求項１に係る発明によれば、プリント基板や筐体等の被取付部品への取付けが簡単な１つのケーブルガイド部材を用いて光ケーブルを実装することができ、而も、ケーブルガイド部材の内側周壁によって光ケーブルの曲率半径が維持されるため、ケーブルクランプを複数用いて光ケーブルを実装していた従来に比し、光ケーブルの実装作業に手間がかかることがなく、作業者に熟練を要することもない。
【００１５】
そして、外形が大きいケーブルクランプを複数用いていた従来構造に比し、１つのケーブルガイド部材で光ケーブル７の実装が可能であるため、端末装置の更なる小型化が図れる。
【００１６】
また、ケーブルガイド部材に設けた矯正用ガイドリブが光ケーブルのルートを内方へ矯正するため、外側周壁側からケーブルガイド部材に案内される光ケーブルが外方へ膨出することがなく、筐体等との間に光ケーブルが挟まれることがない。更に、飛び出し防止用突片によって光ケーブルがケーブルガイド部材の上方から飛び出してしまうこともない。
【００１７】
更にまた、請求項１に係る発明によれば、ケーブルガイド部材にアダプタを取り付けることができるため、プリント基板へのアダプタの取付けに当たり、従来の金具が不要となって部品点数の削減が図れる。
【００１８】
加えて、従来、アダプタの固定に金具を使用すると、金具の実装部分に電気的な配線ができないため、金具の取付部位に絶縁処理を施さねばならぬ煩わしさがあったが、前記ケーブルガイド部材を用いることで従来の絶縁処理が不要になると共に、ケーブルガイド部材は樹脂成形品であるから、プリント基板の配線に影響を及ぼすことがない利点を有する。
【００１９】
また、請求項２に係る発明によれば、プリント基板や筐体等の被取付部品へのケーブルガイド部材の取付けが簡単に行え、請求項３に係る発明によれば、ケーブルガイド部材へのアダプタの取付けが簡単に行える利点を有する。
【００２０】
そして、請求項４に係る発明によれば、アダプタ取付部の支持壁に設けた突片が、上方に冠着する冠着部材の凹部に係止して、アダプタ取付部が上方から押圧保持されるため、アダプタに外線光ケーブルを接続する際に、アダプタに力がかかってもアダプタやアダプタ取付部がガタ付くことがない。
【発明を実施するための最良の形態】
【００２１】
以下、本発明の実施形態を図面に基づいて詳細に説明する。
【００２２】
図１は請求項１乃至請求項４の一実施形態に係るガイド構造を示し、図に於て、１はプリント基板（被取付部品）３に実装された光モジュール、５はプリント基板３に取り付くケーブルガイド部材で、本実施形態は、光モジュール１の光ケーブル７のルート矯正に該ケーブルガイド部材５を用い、そして、光ケーブル７と外線光ケーブルとを接続する中継接続用アダプタ（以下、「アダプタ」という）９を、前記ケーブルガイド部材５に取り付けたことを特徴とする。
【００２３】
図１乃至図３に示すようにケーブルガイド部材５は、平面視Ｌ字状に形成された樹脂成形品で、Ｌ字状に折曲する角部１１の内側周縁部に、光ケーブル７の曲率半径を維持する曲率からなる内側周壁１３が立設されており、該ケーブルガイド部材５を用いた光ケーブル７の実装に当たり、図１の如く該内側周壁１３の内周に光ケーブル７が当接するようになっている。
【００２４】
そして、前記角部１１を挟んでケーブルガイド部材５の一端側に、アダプタ９をワンタッチで取り付け可能なアダプタ取付部１５が設けられている。
【００２５】
図２に示すようにアダプタ取付部１５は、ケーブルガイド部材５上に立設された支持壁１７と、アダプタ９の外形形状に沿って該支持壁１７に形成された正面視矩形状の挿入孔１９とからなり、挿入孔１９の背面側の左右周縁部に、後述するロックツメが係合する被係合部（図示せず）が設けられている。
【００２６】
一方、図１及び図９に示すようにアダプタ９の中央外周には、断面矩形状の鍔部２１が全周に亘って突設され、更に該鍔部２１から前記支持壁１７の肉厚分の間隙を空けて、アダプタ９の左右の側面９ａ，９ｂにラチェット状のロックツメ２３が設けられている。そして、図９に示すようにアダプタ取付部１５（支持壁１７）の前面側からアダプタ９を挿入孔１９に挿入して、ロックツメ２３を挿入孔１９に圧入させると、前記被係合部に係合したロックツメ１９と前記鍔部２１とで支持壁１７を前後から挟持して、アダプタ９がアダプタ取付部１５にワンタッチで実装されるようになっている。
【００２７】
また、図２及び図３に示すようにケーブルガイド部材５には、アダプタ取付部１５側端部に、裏面側へ断面Ｌ字状に折曲する係止片２５が設けられている。そして、該係止片２５の先端中央に内方へ突出する係止ツメ２７が設けられており、図７の如くプリント基板３へのケーブルガイド部材５の取付時に、該係止ツメ２７がプリント基板３の裏面側周縁部２９に係止して、ケーブルガイド部材５のアダプタ取付部１５側をプリント基板３に確実に保持するようになっている。
【００２８】
そして、図１に示すように支持壁１７の上部中央には突片３１が突設されており、該突片３１を、プリント基板３に冠着する図示しない筐体（冠着部材）に設けた凹部に係合させることで、アダプタ取付部１５が上方から筐体によって押圧保持されるようになっている。
【００２９】
一方、図１及び図２に示すように角部１１を挟んでケーブルガイド部材５の他端側の外側周縁部には、光ケーブル７が当接する外側周壁３３が立設されている。そして、該外側周壁３３と前記内側周壁１３の上部に、光ケーブル７の上方への飛び出しを防止する飛び出し防止用突片３５，３７が、夫々、ケーブルガイド部材５の内方へ突設され、更に外側周壁３３の先端に、光ケーブル７のルートをプリント基板５の内方へ矯正する矯正用ガイドリブ３９が内方へ突設されている。
【００３０】
また、図２及び図３に示すようにケーブルガイド部材５の裏面側には、該ケーブルガイド部材５をプリント基板３に取り付けることができるように、先ず、前記外側周壁３３に沿って、先端の係止ツメ４１がアダプタ取付部１５側に突出する２つの小突起４３が所定の間隔を空けて突設されている。
【００３１】
更に、前記アダプタ取付部１５側の裏面に２つの小突起４５が突設されており、この２つの小突起４５は、２点支持によってケーブルガイド部材５の回転防止の機能を奏するようになっている。
【００３２】
そして、図４に示すように前記小突起４３に対応してプリント基板３に２つの係止孔４７が形成され、前記小突起４５に対応してプリント基板３に２つの係止孔４９が形成されており、図４の如く各係止孔４７に小突起４３を夫々挿入して、ケーブルガイド部材５を図５の矢印方向へスライドさせると、図６に示すように小突起４３先端の係止ツメ４１が係止孔４７の周縁部に係止するようになっている。そして、この状態（図６及び図７の状態）で前記係止片２５を下方へ押圧すると、図８に示すように係止ツメ２７がプリント基板３の裏面側周縁部２９に係止して、ケーブルガイド部材５の一端側がプリント基板３に確実に保持されると同時に、前記小突起４５が係止孔４９に係止して、ケーブルガイド部材５のアダプタ取付部１５側の回転やガタ付きが防止されるようになっている。
【００３３】
その他、図１に於て、５１は光ケーブル７に接続されたコネクタ、また、図２に於て、５３は前記内側周壁１３からケーブルガイド部材５の内側周縁部に沿ってアダプタ取付部１５の近傍へ延設された周壁、５５は前記外側周壁３３からケーブルガイド部材５の外側周縁部に沿ってアダプタ取付部１５の近傍へ延設された周壁で、両周壁５３，５５はアダプタ９へのコネクタ５１の差し込みに支障を来すことがないように、夫々、内側周壁１３や外側周壁３３よりも低く形成されている。
【００３４】
本実施形態に用いるプリント基板３とケーブルガイド部材５はこのように構成されており、次に、図４乃至図８を基にケーブルガイド部材５の実装方法を説明し、図９を基にアダプタ９の取付方法を説明し、図１０及び図１１を基に光ケーブル７の実装方法を説明する。
【００３５】
先ず、図４に示すように、プリント基板３の係止孔４７にケーブルガイド部材５の小突起４３を挿入する。次いで図５の如くケーブルガイド部材５を矢印方向へスライドさせて、図６に示すように小突起４３の先端の係止ツメ４１を係止孔４７の周縁部に係止させる。
【００３６】
そして、この状態（図６及び図７の状態）で係止片２５を下方へ押圧すると、図８に示すように係止ツメ２７がプリント基板３の裏面側周縁部２９に係止して、ケーブルガイド部材５のアダプタ取付部１５側がプリント基板３に保持されると共に、前記小突起４５が係止孔４９に係止してケーブルガイド部材５がプリント基板３に位置決め固定される。
【００３７】
このように、前記係止孔４７に小突起４３を挿入し、ケーブルガイド部材５をスライドさせて係止ツメ２７をプリント基板３の裏面側周縁部２９に係止させるという極めて簡単な操作で、ケーブルガイド部材５がプリント基板３に実装される。
【００３８】
この後、図９に示すようにアダプタ取付部１５の前面からアダプタ９を挿入孔１９に挿入し乍らロックツメ２３を挿入孔１９に圧入させれば、既述したようにロックツメ１９と鍔部２１とで支持壁１７を前後から挟持して、アダプタ９がアダプタ取付部１５に取り付くこととなる。
【００３９】
そして、図１０に示すようにプリント基板３に光モジュール１を実装し、光ケーブル７を前記矯正用ガイドリブ３９側からケーブルガイド部材５に案内して、前記飛び出し防止用突片３５，３７の下をくぐらせ、内側周壁１３に当接させ乍らアダプタ取付部１５方向へ屈曲させて、図１１の如く光ケーブル７に接続されたコネクタ５１をアダプタ９に差し込んで光ケーブル７の実装が完了する。
【００４０】
而して、このようにケーブルガイド部材５を用いて光ケーブル７を実装すると、図１１に示すように、内側周壁１３が光ケーブル７の曲率半径を維持して光ケーブル７の特性を保証し、また、飛び出し防止用突片３５，３７が、ケーブルガイド部材５の上方からの光ケーブル７の飛び出しを防止する。
【００４１】
更に、図１１に示すように外側周壁３３側からケーブルガイド部材５内に案内されて内側周壁１３に当接する光ケーブル７は、円弧を描いて外側周壁３３に当接しているが、前記矯正用ガイドリブ５９がない場合、外側周壁３３側からケーブルガイド部材５に案内される光ケーブル７がプリント基板３側方へ膨出して、プリント基板３を実装する筐体との間に光ケーブル７が挟まれてしまう虞がある。
【００４２】
そこで、既述したように本実施形態は外側周壁３３の先端に矯正用ガイドリブ３９を内方へ突設し、該矯正用ガイドリブ３９によって光ケーブル７のルートを内方へ矯正することで、外側周壁３３側からケーブルガイド部材５に案内される光ケーブル７のプリント基板３側方への膨出を防止して、筐体との間に光ケーブル７が挟まれることを防止している。
【００４３】
また、アダプタ取付部１５の支持壁１７に設けた突片３１が、プリント基板３に冠着する筐体（図示せず）の凹部に係合して、アダプタ取付部１５が上方から押圧保持されるため、アダプタ９に外線光ケーブルを接続する際に、該アダプタ９に力がかかってもアダプタ９やアダプタ取付部１５がガタ付くことがない。
【００４４】
このように本実施形態によれば、
(1)プリント基板３への取付けが簡単な１つのケーブルガイド部材５を用いて光ケーブル７を実装することができ、而も、ケーブルガイド部材５の内側周壁１３によって光ケーブル７の曲率半径が維持されるため、ケーブルクランプを複数用いて光ケーブルを実装していた従来に比し、光ケーブル７の実装作業に手間がかかることがなく、作業者に熟練を要することもない。
【００４５】
(2)外形が大きいケーブルクランプを複数用いていた従来構造に比し、１つのケーブルガイド部材５で光ケーブル７の実装が可能であるため、端末装置の更なる小型化が図れる。
【００４６】
(3)ケーブルガイド部材５に設けた矯正用ガイドリブ３９が光ケーブル７のルートを内方へ矯正するため、外側周壁３３側からケーブルガイド部材５に案内される光ケーブル７がプリント基板３側方へ膨出することがなく、筐体との間に光ケーブル７が挟まれることがない。
【００４７】
また、飛び出し防止用突片３５，３７によって光ケーブル７がケーブルガイド部材５の上方から飛び出してしまうことがない。
【００４８】
(4)アダプタ取付部１５の支持壁１７に設けた突片３１が、プリント基板３に冠着する筐体の凹部に係合してアダプタ取付部１５が上方から押圧保持されるため、アダプタ９に外線光ケーブルを接続する際に、アダプタ９に力がかかってもアダプタ９やアダプタ取付部１５がガタ付くことがない。
【００４９】
(5)ケーブルガイド部材５にアダプタ９を取り付けることができるため、プリント基板３へのアダプタ９の取付けに当たり、従来の金具が不要となって部品点数の削減が図れる。
【００５０】
而も、従来、アダプタの固定に金具を使用すると、金具の実装部分に電気的な配線ができないため、金具の取付部位に絶縁処理を施さねばならぬ煩わしさがあったが、前記ケーブルガイド部材５を用いることで、斯かる絶縁処理が不要になると共に、ケーブルガイド部材５は樹脂成形品であるから、プリント基板３の配線に影響を及ぼすことがない利点を有する。
【００５１】
尚、前記実施形態は、ケーブルガイド部材５をプリント基板３に実装した構造を説明したが、ケーブルガイド部材５を筐体に取り付ける場合にも適用できることは勿論である。
【図面の簡単な説明】
【００５２】
【図１】請求項１乃至請求項４の一実施形態に係る光ケーブルのガイド構造の全体斜視図である。
【図２】ケーブルガイド部材の斜め上方からの全体斜視図である。
【図３】ケーブルガイド部材の斜め下方からの全体斜視図である。
【図４】ケーブルガイド部材の実装方法の説明図である。
【図５】ケーブルガイド部材の実装方法の説明図である。
【図６】ケーブルガイド部材の実装方法の説明図である。
【図７】ケーブルガイド部材の実装方法の説明図である。
【図８】ケーブルガイド部材の実装方法の説明図である。
【図９】アダプタの実装方法の説明図である。
【図１０】光ケーブルの実装方法の説明図である。
【図１１】光ケーブルの実装方法の説明図である。
【符号の説明】
【００５３】
１  光モジュール
３  プリント基板
５  ケーブルガイド部材５
７  光ケーブル
９  アダプタ
１３  内側周壁
１５  アダプタ取付部
１７  支持壁
１９  挿入孔
２１  鍔部
２３  ロックツメ
２５  係止片
２７，４１  係止ツメ
３１  突片
３３  外側周壁
３５，３７  飛び出し防止用突片
３９  矯正用ガイドリブ
４３，４５  小突起
４７，４９  係止孔
５１  コネクタ
【図１】
2010145464.tif 000003
【図２】
2010145464.tif 000004
【図３】
2010145464.tif 000005
【図４】
2010145464.tif 000006
【図５】
2010145464.tif 000007
【図６】
2010145464.tif 000008
【図７】
2010145464.tif 000009
【図８】
2010145464.tif 000010
【図９】
2010145464.tif 000011
【図１０】
2010145464.tif 000012
【図１１】
2010145464.tif 000013